(57)【要約】【課題】磁気カードリーダに磁気カードを挿入して下方へスライドさせたとき、カードが壁面を擦過することを抑止し、かつ小型化を図る。【解決手段】磁気カードリーダ１の本体７の前面に突出部７ｂを形成し、この突出部７ｂにスライド溝３を設け、このスライド溝３の底部にスライド案内板１３を配置する。スライド案内板１３の上端を壁面９よりも０〜１２ｍｍ前方に配置し、かつスライド案内板１３を壁面９に対し１〜６度前方へ傾斜させる。また、読取りヘッド１４をスライド溝３の縦寸法の中央部よりも５〜２０ｍｍ上方に設ける。更に、突出部７ｂの壁面９からの突出量を上記傾斜角度に対応した寸法に形成する。磁気カードをスライド溝３の上部から挿入して、スライド案内板１３に当接させて下方へスライドさせれば、読取りヘッド１４が磁気カードの情報を読み取る。【選択図】        図２
2004295757.tif 000002
【特許請求の範囲】
【請求項１】
壁面に設置された本体と、この本体の前面に形成された突出部に開口したスライド溝と、このスライド溝の底部に配置されたスライド案内板とを有し、利用者の把持する磁気カードが上記スライド溝内に挿入され、かつ上記磁気カードの端面が上記スライド案内板の表面に当接した状態で上記磁気カードが下方向へスライドされると、読取りヘッドが上記磁気カードに記録された情報を読み取る装置において、上記スライド案内板の上端を上記壁面よりも所定寸法前方に配置し、かつ上記スライド案内板を、上記壁面に対して所定角度で前方へ傾斜させるとともに、上記突出部の壁面からの突出量を上記所定角度に対応した寸法に形成したことを特徴とする磁気カード読取り装置。
【請求項２】
所定寸法を０ｍｍ〜１２ｍｍとし、所定角度を１度〜６度としたことを特徴とする請求項１記載の磁気カード読取り装置。
【請求項３】
読取りヘッドを、スライド溝の縦寸法の中央部よりも５ｍｍ〜２０ｍｍ上方に設けたことを特徴とする請求項１又は請求項２記載の磁気カード読取り装置。
【請求項４】
テンキー、表示器等の操作部を突出部の前面よりも後方の面に配置したことを特徴とする請求項１〜請求項３のいずれかに記載の磁気カード読取り装置。
【請求項５】
本体の下面に、スライド案内板を下方に延長するアダプタを締結したことを特徴とする請求項１〜請求項４のいずれかに記載の磁気カード読取り装置。
【発明の詳細な説明】
【０００１】
【発明の属する技術分野】
この発明は、磁気カードをスライド溝に挿入してスライドさせて、磁気カードに記録された情報を読み取る装置に関するものである。
【０００２】
【従来の技術】
従来の磁気カード読取り装置においては、壁面から突出して取り付けられた磁気カードリーダに対して、磁気カードをスライド溝の上方から挿入してスライド案内板に当接させ、磁気カードを下方向へスライドさせるように構成している。これで、読取りヘッドは磁気カードの情報を読み取り、例えば電気錠の解錠信号を出力する（例えば、特許文献１参照）。
【０００３】
【特許文献１】
特開２００１―１４３０１２号公報（段落３、図５）
【０００４】
【発明が解決しようとする課題】
上記のような従来の磁気カード読取り装置では、利用者は磁気カードをスライド案内板に当接させた状態で上から下へスライドするため、磁気カードの下の部分を把持したり、スライド案内板に当接させる力が大きかったりすると、磁気カードがスライド案内板を過ぎたところから磁気カードが壁面に向かって斜めに傾いて移動する場合が生じる。そのため、磁気カードが壁面を擦過して壁面を傷つけ、傷跡が残るという問題点がある。
【０００５】
また、これを改良するため、
（１）  スライド案内板を壁面から離す。（前方向に移動する。）
（２）  スライド案内板の長さを長くする。
ことが考えられるが、これでは磁気カードリーダの寸法が大きくなってしまうという問題点がある。
【０００６】
この発明は上記問題点を解消するためになされたもので、壁面に磁気カードが擦過することを減らすとともに、寸法も小さくすることができるようにした磁気カード読取り装置を提供することを目的とする。
【０００７】
【課題を解決するための手段】
この発明に係る磁気カード読取り装置は、壁面に設置された本体の前面に突出部を形成し、この突出部にスライド溝を設け、このスライド溝の底部にスライド案内板を配置し、スライド溝に挿入された磁気カードがスライド案内板に当接した状態で下方向へスライドされると、読取りヘッドが磁気カードに記録された情報を読み取る装置において、スライド案内板の上端を壁面よりも所定寸法前方に配置し、かつスライド案内板を、壁面に対して所定角度で前方へ傾斜させるとともに、突出部の壁面からの突出量を上記所定角度に対応した寸法に形成したものである。
【０００８】
【発明の実施の形態】
実施の形態１．
図１〜図３はこの発明の第１〜第４発明の一実施の形態を示す図で、図１は磁気カードリーダを用いた管理装置の説明図、図２は磁気カードリーダを示す図で、（Ａ）は正面図、（Ｂ）は右側面（一部断面）図、（Ｃ）は下面図、図３は操作説明図で、（Ａ）は実施の形態による製品、（Ｂ）は従来製品であり、図中同一符号は同一部分を示す。（以下の実施の形態も同じ。）
【０００９】
図１において、玄関などの建物の出入口や室内への出入口の壁面に磁気カードリーダ１が設置されており、利用者が所持する磁気カード２を、磁気カードリーダ１のスライド溝３に挿入し、下方向へスライドさせると、磁気カードリーダ１は磁気カード２に記録された情報を読み取る。そして、この読取り信号は制御盤４へ伝送される。制御盤４は磁気カードリーダ１から伝送された読取り信号を解読し、解読結果に基づいて必要な制御信号４ａを出力する。
【００１０】
また、制御盤４は、解読結果をコンピュータ装置５へ送る。コンピュータ装置５は、制御盤４から受信した解読結果を集中管理する。例えば、入退室管理の場合には、磁気カード２のＩＤ（個人）番号が磁気カードリーダ１で読み取られ、その読取り信号が制御盤４へ送られ、制御盤４にあらかじめ登録されているＩＤ番号と一致すれば、制御信号４ａとして解錠信号が出力され、電気錠が解錠されて扉が開く。
【００１１】
図２において、磁気カードリーダ１の本体７の下面にはねじ８がねじ込まれており、磁気カードリーダ１はこのねじ８を利用して、建物の壁面９に固定されている（詳細は省略）。本体７は平面部７ａと、平面部７ａから前方へ突出した突出部７ｂとを有し、横断面がほぼＬ字状に形成されている。平面部７ａには操作部１０が設置されており、操作部１０にはテンキー１１、発光ダイオードからなる表示灯１２等が設置されている。
【００１２】
突出部７ｂにはその上面から下面に通じるスライド溝３が開口している。そして、スライド溝３の底部にはスライド案内板１３が設けられており、その上端は壁面９の前方０ｍｍ〜１２ｍｍ（図では８ｍｍ）のところに配置されている。また、スライド案内板１３は、その下端が上端よりも前方にくるように、壁面に対して１度〜６度（図では３度）の角度で傾斜している。そして、突出部７ｂには、磁気カード２の磁気ストライプに記録された情報を読み取って読取り信号を出力する読取りヘッド１４が設けられている。読取りヘッド１４はスライド溝３の縦寸法の中央部よりも上方（図では１１ｍｍ）に位置している。
【００１３】
次に、この実施の形態の動作を図３（Ａ）を参照して説明する。
利用者は、磁気カード２を把持して、スライド溝３に挿入し、磁気カード２の端面をスライド案内板１３に当接させる。この状態では、磁気カード２は読取りヘッド１４を通過していない。次に磁気カード２をスライド案内板１３に沿って下方へスライドさせると、磁気カード２に記録された情報は、読取りヘッド１４により読み取られる。
【００１４】
利用者は磁気カード２をスライド案内板１３に押圧するようにして磁気カード２を操作するが、読取りヘッド１４を通過したらすぐに力を弱めるようなことはできず、読取りヘッド１４を通過しても、しばらくはスライド案内板１３を押圧する力は継続する。
ここで、磁気カード２の下端がスライド案内板１３の下端を通過した後、壁面９を擦過するのを防止するには、以下の三つが考えられる。
【００１５】
（１）  スライド案内板１３の下端を壁面９から離す。
（２）  スライド案内板１３の内、読取りヘッド１４から下の部分を長くする。
（３）  スライド案内板１３を前に傾け、磁気カード２を引き出すように操作させる。
この実施の形態では、図３（Ａ）に示すように、スライド案内板１３の下端と壁面９の距離が１５ｍｍあること、読取りヘッド１４から下のスライド案内板１３の長さが７８ｍｍあること、及びスライド案内板１３が前に３度傾斜していることのため、磁気カード２が壁面９を擦過することが少なくなっている。
【００１６】
次に、この実施の形態と従来製品との寸法対比を図３（Ａ）（Ｂ）により説明する。
従来製品では、図３（Ｂ）に示すように、突出部７ｃの縦寸法が１５６ｍｍ、突出寸法が３７ｍｍ、スライド案内板１３Ａは壁面９に対して平行に配置され、壁面９からの寸法が１５ｍｍ、読取りヘッド１４から下のスライド案内板１３Ａの長さが７８ｍｍになっている。
これに対し、この実施の形態では、図３（Ａ）に示すように、突出部７ｂの縦寸法が１３４ｍｍ、突出寸法は下端が３７ｍｍ、上端が３２ｍｍ、スライド案内板１３は上端の壁面９からの寸法が８ｍｍ、下端の同寸法が１５ｍｍ、読取りヘッド１４から下のスライド案内板１３の長さが７８ｍｍになっており、小型化を達成している。
【００１７】
このようにして、スライド案内板１３は傾斜配置され、かつ読取りヘッド１４が中央よりも上に位置しているため、磁気カード２が読取りヘッド１４を通過した後の動作は従来品と同等に安定しており、かつ磁気カード２は手前に傾斜してスライドすることにより壁面９を傷つけにくくすることが可能となるとともに、磁気カードリーダ１の寸法を小さくすることが可能となる。
【００１８】
また、操作部１０は突出部７ｂよりも後方の平面部７ａに配置され、突出部７ｂの厚みが３７ｍｍに対し、平面部７ａの厚みは２２ｍｍになっている。これにより、更に全体的なボリューム感を減少し、コンパクトに見せている。
【００１９】
実施の形態２．
図４はこの発明の第５発明の一実施の形態を示す図で、（Ａ）は磁気カードリーダの正面図、（Ｂ）は同じく右側面（一部断面）図である。
この実施の形態は、磁気カードリーダ１の本体７の下面に、スライド案内板１３を下方に延長するためのアダプタ１６を、本体７に設けられたねじ穴を利用してねじ１７で締結したものである。なお、アダプタ１６の前面１６ａはスライド案内板１３の傾斜面と同一平面を形成している。なお、上記以外は図２と同様である。
【００２０】
このようにして、アダプタ１６を用いることにより、スライド案内板１３が延長されるため、壁面９への傷を防止する効果を高めることが可能となる。また、アダプタ１６が必要なときには、磁気カードリーダ１の外観を損うことなく、簡単に追加取付けすることが可能となる。
【００２１】
【発明の効果】
以上説明した通りこの発明では、磁気カードのスライドを案内するスライド案内板の上端を壁面よりも所定寸法前方に配置し、かつスライド案内板を、壁面に対して所定角度で前方へ傾斜させるとともに、突出部の壁面からの突出量を上記所定角度に対応した寸法に形成したので、磁気カード操作時に磁気カードが壁面を擦過することを抑止できるとともに、磁気カードリーダの厚さを薄くすることができる。
【図面の簡単な説明】
【図１】この発明の実施の形態１を示す磁気カードリーダを用いた管理装置の説明図。
【図２】この発明の実施の形態１を示す磁気カードリーダを示す図で、（Ａ）は正面図、（Ｂ）は右側面（一部断面）図、（Ｃ）は下面図。
【図３】この発明の実施の形態１を示す操作説明図で、（Ａ）は右側面（一部断面）図、（Ｂ）は従来品の右側面（一部断面）図。
【図４】この発明の実施の形態２を示す磁気カードリーダを示す図で、（Ａ）は正面図、（Ｂ）は右側面（一部断面）図。
【符号の説明】
１  磁気カードリーダ、  ２  磁気カード、  ３  スライド溝、  ７  本体、７ａ  平面部、  ７ｂ  突出部、  ９  壁面、  １０  操作部、  １１  テンキー、  １２表示灯、  １３  スライド案内板、  １４  読取りヘッド、  １６
アダプタ、  １６ａ  アダプタの前面、  １７  取付ねじ。
【図１】
2004295757.tif 000003
【図２】
2004295757.tif 000004
【図３】
2004295757.tif 000005
【図４】
2004295757.tif 000006